(57)【要約】      （修正有）【課題】片電源時における誤動作や部品の破壊から保護し、装置の所望の動作が確実にえられる装置内蔵型光ディスク装置を提供する。【解決手段】筐体内に複数種の電源部を備えた電子装置の一部に搭載される構造の装置内蔵型光ディスク装置では、電子装置の筐体内の電源部から供給される第１の電源を所定の電圧に変換し、光ディスク装置を構成する上記各部の一部に供給する第１の電源部と、電子装置の筐体内に備えた電源部から供給される第２の電源を所定の電圧に変換し、光ディスク装置を構成する各部の他の部分に供給する第２の電源部を備えた電源部を備え、第１の電源部と第２の電源部の電圧を監視し、第１の電源部と第２の電源部の電圧が、それぞれの所定の電圧に達した時に、光ディスク装置を構成するシステムのリセットを解除する電源監視部３１２を備えている。【選択図】図５
2008226290.tif 000002
【特許請求の範囲】
【請求項１】
筐体内に複数種の電源部を備えた電子装置の一部に搭載される構造の装置内蔵型光ディスク装置であって、少なくとも、
光ディスクを所定の回転速度で駆動する手段と、
当該駆動手段により回転駆動される光ディスクの記録面に、半導体レーザからの光ビームを照射し、前記記録面からの反射光を受光して電気信号を生成する光ピックアップと、
前記光ピックアップで生成された電気信号に基づいて、所望の信号を生成する信号処理部と、
前記光ピックアップを前記光ディスク半径方向への移動する駆動手段と、
前記生成された電気信号に基づいて、光ディスク装置を構成する前記各部を制御駆動する手段とを備えたものにおいて、更に、
前記電子装置の筐体内に備えた電源部から供給される第１の電源を所定の電圧に変換し、前記光ディスク装置を構成する上記各部の一部に供給する前記光ディスク装置の第１の電源部と、前記電子装置の筐体内に備えた電源部から供給される第２の電源を所定の電圧に変換し、前記光ディスク装置を構成する上記各部の他の部分に供給する前記光ディスク装置の第２の電源部を備えており、
前記光ディスク装置の電源部は、前記光ディスク装置の第１の電源部と前記光ディスク装置の第２の電源部の電圧を監視し、当該第１の電源部と当該第２の電源部の電圧が、それぞれの所定の電圧に達した時に、前記光ディスク装置を構成する前記制御部や前記信号処理部のリセットを解除する電源監視部を備えていることを特徴とする装置内蔵型光ディスク装置。
【請求項２】
前記請求項１に記載した装置内蔵型光ディスク装置において、前記光ディスク装置の第１の電源部は、前記電子装置の筐体内に備えた電源部から供給される第１の電源を複数の所定の電圧に変換して前記光ディスク装置を構成する上記各部の一部に供給し、そして、前記光ディスク装置の第２の電源部も、前記電子装置の筐体内に備えた電源部から供給される第２の電源を複数の所定の電圧に変換して前記光ディスク装置を構成する上記各部の他の部分に供給することを特徴とする装置内蔵型光ディスク装置。
【請求項３】
前記請求項１に記載した装置内蔵型光ディスク装置において、前記光ディスク装置の電源監視部は、前記光ディスク装置の第１の電源部の電圧を所定の値と比較するための第１の比較器と、前記光ディスク装置の第２の電源部の電圧を所定の値と比較するための第２の比較器と、当該第１及び第２の比較器からの出力に基づいて出力を切り替える論理回路で構成されていることを特徴とする装置内蔵型光ディスク装置。
【発明の詳細な説明】
【技術分野】
【０００１】
本発明は、光ディスクに情報を記録し又は記録された情報を再生するための光ディスク装置に関し、特に、パーソナルコンピュータ等、電子装置において、その筐体内に搭載される装置内蔵型光ディスク装置における電源部に関する。
【背景技術】
【０００２】
円盤状の記録媒体である光ディスクにレーザビームを照射して光ディスクに情報を記録し、又は、その反射光を電気信号に変換して記録された情報を読み出す光ディスク装置は、特に、近年におけるＨＤ―ＤＶＤやＢＤなどの大容量の記録媒体の出現により、パーソナルコンピュータ等の電子装置における情報記録媒体として広く利用されており、一般には、装置の筐体内に内蔵されて出荷されることが多い。
【０００３】
なお、例えば、以下の特許文献１には、ハーネスの線かみ事故などによってＣＰＵ回路の動作電源電圧がダウンした場合でもＣＰＵの停止処理動作を確実に行えるようにするため、ハーネスにはＣＰＵ回路動作電源電圧である５Ｖの供給ラインと、それ以外の電源電圧供給ラインが含まれ、制御基板では、上記ＣＰＵ回路動作電源電圧をそれらの電源電圧を合成して得る５Ｖ合成回路とを備えており、これによって、５Ｖ電源供給ラインがダウンしても、他の電源電圧によって５Vのバックアップを行うことができ、ＣＰＵの停止処理が行われる制御回路動作用電源電圧の供給装置が既に開示されている。
【０００４】
【特許文献１】特開平５−３０７４３０号
【発明の開示】
【発明が解決しようとする課題】
【０００５】
ところで、上述したように、パーソナルコンピュータ等の電子装置の筐体内に搭載される、所謂、装置内蔵型光ディスク装置では、その内部に各種の駆動用モータやレーザダイオード、更には、それらの制御回路などを含んでおり、供給電圧の異なる少なくとも２種類以上の直流（ＤＣ）電源が、当該電子装置内に設けられた電源部からワイヤハーネスを介して供給されるが、しかしながら、装置筐体内への搭載の不具合などにより、これらのいずれか一方の電源電圧に異常が生じた場合（所謂、片電源が通電している状態）、装置の誤動作や部品の破壊を発生する場合が生じる。例えば、光ディスクを回転駆動するスピンドルモータや光ピックアップをディスク半径方向に移動するスレッドモータに供給される電源電圧が所定の電圧（例えば、１２Ｖ）に満たない場合には、制御装置を構成するＣＰＵには正常な電源電圧が供給されていたとしても、ディスク回転数が所定の回転数に達せず、あるいは、光ピックアップが所定の動作を行うことが出来ず（特に、ＨＤ−ＤＶＤやＢＤのためのレーザ光を発生するレーザダイオードと、ＤＶＤやＣＤのためのレーザ光を発生するレーザダイオードでは、その駆動電圧が異なっている）、そのため、当該装置の所望の動作が得られないことになってしまう。
【０００６】
なお、かかる現象（電源異常時）は、パーソナルコンピュータ等の電子装置を商用電源に接続した初期の状態など、その電源部からの電力が安定していない場合、更には、電源供給の遅延時などにおいても、多く発生する。
【０００７】
なお、上記の特許文献１では、異なる電源電圧の供給ラインの各電源電圧を監視し、そのいずれかの電源電圧に、例えば、ショートのような電圧異常を検出した場合、他の電源電圧によって５Ｖのバックアップを行うものであり、上述したような本発明が関わる、特に、パーソナルコンピュータ等の電子装置の筐体内に搭載される、所謂、装置内蔵型光ディスク装置における電源電圧に異常が生じた場合については、述べられていない。
【０００８】
そこで、本発明では、上述した従来技術における問題点に鑑み、電子装置の筐体内に搭載されて当該装置内の電源部から複数種の電源電圧が供給される光ディスク装置において、その一部の電源電圧に異常が発生した場合（所謂、片電源時）における誤動作や部品の破壊から保護するための手段を備え、もって、当該装置の所望の動作が確実にえられる装置内蔵型光ディスク装置を提供することをその目的とする。
【課題を解決するための手段】
【０００９】
上記の目的を達成するため、本発明によれば、まず、筐体内に複数種の電源部を備えた電子装置の一部に搭載される構造の装置内蔵型光ディスク装置であって、少なくとも、光ディスクを所定の回転速度で駆動する手段と、当該駆動手段により回転駆動される光ディスクの記録面に、半導体レーザからの光ビームを照射し、前記記録面からの反射光を受光して電気信号を生成する光ピックアップと、前記光ピックアップで生成された電気信号に基づいて、所望の信号を生成する信号処理部と、前記光ピックアップを前記光ディスク半径方向への移動する駆動手段と、前記生成された電気信号に基づいて、光ディスク装置を構成する前記各部を制御駆動する手段とを備えたものにおいて、更に、前記電子装置の筐体内に備えた電源部から供給される第１の電源を所定の電圧に変換し、前記光ディスク装置を構成する上記各部の一部に供給する第１の電源部と、前記電子装置の筐体内に備えた電源部から供給される第２の電源を所定の電圧に変換し、前記光ディスク装置を構成する上記各部の他の部分に供給する第２の電源部を備えており、前記光ディスク装置の電源部は、前記光ディスク装置の第１の電源部と前記光ディスク装置の第２の電源部の電圧を監視し、当該第１の電源部と当該第２の電源部の電圧が、それぞれの所定の電圧に達した時に、前記光ディスク装置を構成する前記制御部や前記信号処理部のリセットを解除する電源監視部を備えていることを特徴とする装置内蔵型光ディスク装置が提供される。
【００１０】
なお、本発明によれば、前記に記載した装置内蔵型光ディスク装置において、前記光ディスク装置の電源部を構成する前記光ディスク装置の第１の電源部は、前記電子装置の筐体内に備えた電源部から供給される第１の電源を所定の電圧に変換して前記光ディスク装置を構成する上記各部の一部に供給し、そして、前記光ディスク装置の電源部を構成する前記光ディスク装置の第２の電源部も、前記電子装置の筐体内に備えた電源部から供給される第２の電源を所定の電圧に変換して前記光ディスク装置を構成する上記各部の他の部分に供給することが好ましく、又は、前記光ディスク装置の電源監視部は、前記光ディスク装置の第１の電源部の電圧を所定の値と比較するための第１の比較器と、前記光ディスク装置の第２の電源部の電圧を所定の値と比較するための第２の比較器と、当該第１及び第２の比較器からの出力に基づいて出力を切り替える論理回路で構成されていることが好ましい。
【発明の効果】
【００１１】
以上のように、本発明によれば、電子装置の筐体内に搭載されて電子装置内の電源部から複数種の電源電圧が供給される光ディスク装置において、その電子装置内の電源部から供給される電源電圧の一部に異常が発生した場合（所謂、片電源時）における誤動作や部品の破壊から保護することから、当該光ディスク装置の所望の動作が確実に得られる、装置内蔵型光ディスク装置及びその起動方法が提供されるという実用的にも優れた効果を発揮することとなる。
【発明を実施するための最良の形態】
【００１２】
以下、本発明の実施の形態について、添付の図面を参照しながら詳細に説明する。
【００１３】
添付の図１は、本発明になる光ディスク装置、即ち、パーソナルコンピュータ等、電子装置１００の筐体１１０内に搭載され、そのディスク搭載面が当該装置前面ベゼル１２０の一部に露出するように取り付けられる、所謂、装置内蔵型光ディスク装置２００の外観を示している。また、当該図において、符号１３０は、上記電子装置１００の筐体１１０内に設けられ、複数種（５Ｖと１２Ｖ）の直流電源を供給するための電源供給部を示しており、また、図中の符号は、電子装置１００の前面部に設けられて起動用のスイッチ（スタートボタン）を示している。
【００１４】
続いて、添付の図２は、上記した装置内蔵型光ディスク装置２００の全体構成を示す外観図であり、この図において、符号１は、当該光ディスク装置により光学的に情報を記録する円盤状の記録媒体である光ディスクを示しており、当該光ディスク１は、光ディスク装置の一部を構成するディスク移送部材（所謂、トレイ）２の上（ディスク載置平面部２０）に搭載されて装置の内部へ移送される。なお、このディスク移送部材（トレイ）２の略中央部には、第一の貫通部２ａが形成されており、その下方には、上記光ディスク１を回転駆動するための回転装置であるディスクモータ３が配置されている。
【００１５】
また、図中において、符号４は光ピックアップを、５は上記光ピックアップ４を含むユニットメカシャーシを、６は上記ユニットメカシャーシ５を含めたユニットシャーシを、そして、７は各種の制御基板を取り付けた回路基板を、それぞれ示している。なお、図からも明らかなように、上記光ピックアップ４と上記回路基板７との間には、これらを電気的に接続するための幅広のフレキシブルケーブル（ＦＦＣ）８が取り付けられている。また、図中の符号９は、光ディスク装置の筐体上蓋であり、１０は筐体下蓋である。
【００１６】
なお、上記の光ピックアップ４は、添付の図３にも示すように、それぞれ波長の異なる３種類のレーザダイオード（レーザ発光素子）４３、４４、４５やそのドライバ回路４０１、４０２、４０３と共に、光学系のレンズ４１、４２、やこれらを駆動するためのアクチュエータ４７、反射レーザ光を受光して電気信号に変換する、例えば、フォトトランジスタ等の受光素子からなる検出回路４９、図示しない温度検知手段、更には、これら３種類のレーザダイオードを切り替えるための機構等が内蔵されている。より詳細に説明すると、この光ピックアップ４は、ＣＤの記録・再生を行うＣＤ用レーザ光（波長：785nm）を発生するレーザダイオード、ＤＶＤ用のレーザ光（波長：660nm）、更に、加えてBlu-ray Disc（ＢＤ：登録商標）やＨＤ−ＤＶＤ（登録商標）といった青色レーザ光（波長：405nm）を発生するレーザダイオードを内蔵しており、これにより、従来のＣＤやＤＶＤの記録・再生に加えて、Blu-ray DiscやＨＤ−ＤＶＤの記録・再生をも可能となっている。
【００１７】
そして、再び、上記図２において、上記光ピックアップ４は、上記ユニットメカシャーシ５に取り付けられた一対の案内軸（ガイドバー）５１、５２に沿って、移動可能に取り付けられており、ここでは図示しない駆動用のモータを含む移動機構により、図の矢印で示す方向（即ち、装置に搭載された光ディスク１の半径方向）に移動される。
【００１８】
次に、添付の図４は、本発明になる光ディスク装置の全体構成を示すブロック図であり、この図４においても、符号１は、高密度情報記録媒体の光ディスクを示している。また、符号４は、所謂、光ピックアップを示しており、その内部には、所望の波長のレーザ光を発生する発光素子である半導体レーザ４３、４４又は４５（詳細な構造は、上記図３を参照）、発光されたレーザ光を平行光にするコリメートレンズ５０、入射光を後述するミラーに導き、反射光を後述する受光素子に導くハーフミラーや光の方向を変えるためのミラー４８、４８、上記光ディスク１００の記録面にレーザ光を所定のビーム径に収束して照射するための対物レンズ４１、そして、上記ハーフミラー４８からの反射光を受光して検出する受光素子４９等を備えている。
【００１９】
また、この図４において、符号２１０は、上記光学的再生手段の受光素子４９により検出して反射光を電気信号に変換して所定の処理を行うための信号処理部であり、その内部には、例えば、アナログフロントエンド（ＡＦＥ）やデジタルシグナルプロセッサ（ＤＳＰ）やＰＬＬ回路などを含んでいる。この信号処理部２１０は、光ディスク装置の全体の制御を行うために設けられたマイクロコンピュータ（以下単に「マイコン」と称する）２２０に接続されており、フォーカス制御方法を含めて、種々の制御を行う。すなわち、このマイコン２２０は、上記種々の制御を行えるように、レーザ駆動部２３０、送り制御部２４０、スピンドル制御部２５０、アクチュエータ制御回路４７（図３のアクチュエータ）、ローディングモータ制御部９００に接続されている。なお、図中の符号４７５は、所謂、電磁コイルである。
【００２０】
すなわち、上記の構成によれば、マイコン２２０は、上記のレーザ駆動部２３０を介して、光学的再生手段である光ピックアップ４の発光素子である、半導体レーザ４３、４４又は４５へ供給する電流を制御してその発光強度を調整し、上記送り制御部２４０を介して、送り制御用のモータ２４５の回転を制御することにより、上記光ピックアップ４の光ディスク１の半径方向での位置を制御する。なお、この実施例では、光ディスク１の半径方向への移動機構として、上記送り制御用のモータ２４５の回転により光ピックアップ４を半径方向に移動するためのギアが示されている。
【００２１】
また、マイコン２２０は、上記スピンドル制御部２５０を介して、スピンドルを回転駆動するモータ２５５の回転を制御することにより、かかる高密度情報記録媒体では広く採用されている線速度一定の制御であるＣＬＶ（Constant Linear Velocity）あるいはＺＣＬＶ（Zoned Constant Linear Velocity）制御等を実現する。さらに、このマイコン２２０は、アクチュエータ制御回路４７により、上記光ピックアップ２の対物レンズ４１のフォーカス位置制御を、例えば、その作動手段として電磁コイル４７５等を利用して、電磁的な作用により実現している。なお、ここで、このアクチュエータ制御回路４７により実現される位置制御とは、対物レンズ４１の上記光ディスク１の記録面に対して直角方向の位置制御（フォーカス制御）に加え、さらに、それに直角な半径方向の微小な位置調整によりトラックに追従するためのトラッキング位置制御などである。加えて、このマイコン２２０は、ローディング制御部９００を介してローディング用モータ９５０の回転を制御することにより、上記ディスク移送部材（トレイ）２の装置内への挿入や排出を行う。なお、この実施例では、上記トレイ２を移動するための機構として、上記モータ９５０の回転により光ピックアップ４を半径方向に移動するためのギアが示されている。
【００２２】
そして、前記した光ディスク装置によれば、パーソナルコンピュータ等の図示しないホスト（外部機器）からの命令や情報データを、インターフェース制御回路（図示せず）で解読し、マイコン２２０による制御の下、情報の記録、再生やシーク動作等を実行する。また、信号処理部２１０で信号変換して、光ピックアップ４を介して光ディスク１に情報を記録すること、受光素子４９を介して読み込んだ各種信号を、信号処理部２１０を介して、元のデータに復調し、復調されたデータを再生コマンドに対応して前記インターフェース制御回路からホストに転送することもできる。なお、情報の記録・再生動作の詳細な説明は省略する。また、前記記録・再生に際し、光ディスク１に記録されている各種の制御情報を信号処理部２１０で生成し、前記した各種装置の制御信号に利用している。
【００２３】
そして、上記に説明した光ディスク装置を構成する各部には、電源部２８０から、それぞれ、各種電圧の、所定の電源電圧が供給されている。なお、この電源部２８０は、複数種（具体的には、１２Ｖの直流電源と、５Ｖの直流電源）の直流電源を供給するパソコン側の電源供給部１３０に接続されており、この２種類の電源から、更に、多くの種類の直流電源電圧を生成して、上記光ディスク装置を構成する各部に供給すると共に、加えて、当該光ディスク装置のマイコン２２０を含むシステム全体の停止／開始を行う（指示する）ためのリセット信号（ＲＳＴ）をも発生する。
【００２４】
次に、上述した電源部２８０の詳細について、添付の図５及び図７を参照しながら説明する。
【００２５】
まず、添付の図５は、電源部２８０の全体回路構成を示す回路図であり、この図からも明らかなように、上記パソコン側の電源供給部１３０からの供給電圧に対応して、２つの系に分離されている。即ち、１２Ｖ系は、電源供給部１３０からの１２Ｖの直流電源をそのまま供給する１２Ｖ用の回路（ライン）３０１と、当該１２Ｖの供給電源を、シリーズレギュレータ３０２を介して、他の直流電源（Ｖ２＿１２Ｖ）として供給する回路（ライン）３０３、更には、当該１２Ｖの供給電源をＤＣ−ＤＣコンバータ（直流変換器）３０４を介して、更に他の直流電源（Ｖ２＿１２Ｖ）に変換して供給する回路（ライン）３０５とを備えている。
【００２６】
一方、５Ｖ系は、図からも明らかなように、パソコン側の電源供給部１３０からの５Ｖの直流電源をそのまま供給する５Ｖ用の回路（ライン）３０６と、当該５Ｖの供給電源を、２チャンネルＤＣ−ＤＣコンバータとレギュレータとを組み合わせた変換器３０７を介して、Ｖ１＿５Ｖの直流電源として供給する回路（ライン）３０８と、上記変換器３０７からのＶ１＿５Ｖの直流電源を、他のシリーズレギュレータ３０９を介して、Ｖ２＿５Ｖの直流電源として供給する回路（ライン）３１０と、更には、上記変換器３０７からのＶ３＿５Ｖの直流電源を供給する回路（ライン）３１１とを備えている。
【００２７】
そして、更に、上記２系列の電源の状態を監視するための二電源監視回路３１２が設けられている。なお、本実施の形態では、二電源監視回路３１２は、上記５Ｖ系からは、上記パソコン側の電源供給部１３０からの５Ｖの直流電圧（ＶＤＤ１）をそのまま入力し、他方、上記１２Ｖ系からは、上記ＤＣ−ＤＣコンバータ（直流変換器）１２００からの出力を２個の抵抗で分圧した電圧ＶＤＤ２を入力して、それぞれを監視する。そして、その出力として、当該光ディスク装置のマイコン２２０を含むシステム全体の停止／開始を行う（指示する）ためのリセット信号（ＲＳＴ）を、回路（ライン）３１３上に発生する。
【００２８】
なお、上記の電源部２８０により生成された各種の直流電圧は、上記光ディスク装置内において、マイコン２２０を含むシステム全体を構成する各部に電源として供給される。具体的には、例えば、１２Ｖの直流電圧は、スピンドルモータやスレッドモータへ、９．５Ｖの直流電圧は、Blu-ray DiscやＨＤ−ＤＶＤ用の青色レーザ光（波長：405nm）を発生するレーザダイオードへ、５．７Ｖの直流電圧は、ＣＤ用レーザ光（波長：785nm）を発生するレーザダイオードとＤＶＤ用のレーザ光（波長：660nm）を発生するレーザダイオードへ、それぞれ、供給される。また、５Ｖの直流電圧は、各種のアクチュエータやローディングモータ、更には、ピックアップやＡＦＥなどへ、３．３Ｖの直流電圧は、信号処理部を構成するＡＦＥやＤＳＰ、更には、フラッシュメモリなどへ供給される。更に、２．８Ｖの直流電圧は、ＬＤＤ−ＰＬＬへ、１．５Ｖの直流電圧は、上記ＤＳＰのコア部へ、それぞれ供給されている。
【００２９】
次に、添付の図６には、上記で説明した電源部２８０を構成する、特に、上記２系列の電源の状態を監視するための二電源監視回路３１２の詳細が示されている。図からも明らかなように、この二電源監視回路３１２は、１２Ｖの直流電圧を分圧した１２Ｖ系の電圧ＶＤＤ２を、その基準値である閾値ＶＤＤＴＨ２と比較するための比較器４０１と、５Ｖの直流電圧を分圧した５Ｖ系の電圧ＶＤＤ１を、その基準値である閾値ＶＤＤＴＨ１と比較するための比較器４０２と、そして、これらの比較器からの出力をＡＮＤ処理し、その反転出力を出力する論理素子（ＮＡＮＤ）４０３から構成されている。なお、このＮＡＮＤ４０３からの出力信号が、上述したリセット信号（ＲＳＴ）として、マイコン２２０を含むシステム全体の停止／開始を行う。
【００３０】
添付の図７には、上記二電源監視回路３１２の動作を説明するための信号波形が示されている。なお、ここでは、例えば、時点ｔ１において、光ディスク装置２００に上記２系列の電源が供給された場合であって、５Ｖ電源からの供給電圧が正常であるが、他方、１２Ｖ電源からの供給電圧が、例えば、遅延などを理由として、直ちに、所定の電圧にならない場合を示している。即ち、上記二電源監視回路３１２によれば、５Ｖ電源からの供給電圧が正常であり、直ちに、所定の電圧となっても、他方、１２Ｖ電源からの供給電圧が所定の電圧に達する（即ち、両方の電圧が所定の電圧になる時刻ｔ２）まで、上記ＮＡＮＤ４０３は、リセット信号（ＲＳＴ）をＯＮ状態として、マイコン２２０を含むシステム全体の停止する。そして、上記ＮＡＮＤ４０３は、両方の電圧が所定の電圧に達した時点（時刻ｔ２）で、リセット信号（ＲＳＴ）をＯＮ状態から解除（即ち、ＯＦＦ状態）として、マイコン２２０を含むシステム全体の動作を開始することとなる。
【００３１】
即ち、上述した二電源監視回路３１２を備えた電源部２８０によれば、５Ｖの供給が正常であり、１２Ｖの供給が異常な場合（例えば、１２Ｖの供給ダウンや遅延など）、上記二電源監視回路３１２が当該１２Ｖ系の検出電圧ＶＤＤ２をモニタしており、これより、１２Ｖの供給異常を検出する。即ち、ＶＤＤ２が設定値（ＶＤＤＴＨ２）以下に低下した場合、電源異常と判断し、リセット信号（ＲＳＴ）を発行し、例えば、上記マイコン２２０を含めたシステム動作を停止する。これにより、周辺回路への異常な信号が出力されることを防止し、結果として、システム全体の保護を行うことが可能となる。なお、１２Ｖの供給が正常であるが、５Ｖの供給が異常な場合（例えば、１２Ｖの供給ダウンや遅延など）においても、上記と同様にして、リセット信号（ＲＳＴ）を発行し、もって、システム全体の保護を行うことが可能となる。即ち、その一部の電源電圧に異常が発生した場合（所謂、片電源時）における誤動作や部品の破壊から保護するための手段を備え、もって、当該装置の所望の動作が確実にえられる装置内蔵型光ディスク装置を提供することが可能となる。
【図面の簡単な説明】
【００３２】
【図１】本発明の一実施形態になる装置内蔵型光ディスク装置を搭載したパーソナルコンピュータを示す外観斜視図である。
【図２】上記装置内蔵型光ディスク装置の内部構造を示す展開斜視図である。
【図３】上記装置内蔵型光ディスク装置における、特に、ピックアップ部の構造を説明するブロック図である。
【図４】上記装置内蔵型光ディスク装置における全体の構造を説明するブロック図である。
【図５】上記装置内蔵型光ディスク装置における電源部の具体的な構成を示すブロック図である。
【図６】上記電源部の二電源監視回路の具体的な構成を示すブロック図である。
【図７】上記電源部の二電源監視回路による動作を説明するための各部の波形図である。
【符号の説明】
【００３３】
１…光ディスク
２…トレイ
４…光ピックアップ
２１０…信号処理部
２２０…マイコン
２３０…レーザ駆動回路
２４０…送り制御回路
２５０…スピンドル制御回路
４７…アクチュエータ制御回路
９００…ローディング制御回路
２８０…電源部
４０１、４０２…比較器
４０３…ＮＡＮＤ回路
【図１】
2008226290.tif 000003
【図２】
2008226290.tif 000004
【図３】
2008226290.tif 000005
【図４】
2008226290.tif 000006
【図５】
2008226290.tif 000007
【図６】
2008226290.tif 000008
【図７】
2008226290.tif 000009